(57)【要約】【課題】使用者の嗜好または体調に応じて種々の洗浄条件の設定が可能な衛生洗浄装置を提供する。【解決手段】洗浄水の水勢がＬ１に設定されている場合、使用者は角度調整スイッチの押下操作により洗浄水の広がり角度をＡ１〜Ａ４のいずれかに設定できる。洗浄水の水勢がＬ２〜Ｌ５のいずれかに設定されている場合も洗浄水の水勢がＬ１に設定されている場合と同様に洗浄水の広がり角度を設定できる。洗浄水の広がり角度がＡ１に設定されている場合、使用者は水勢調整スイッチの押下操作により洗浄水の水勢をＬ１〜Ｌ５のいずれかに設定できる。洗浄水の広がり角度がＡ２〜Ａ４のいずれかに設定されている場合も洗浄水の広がり角度がＡ１に設定されている場合と同様に洗浄水の水勢を設定できる。【選択図】　　　　図１７
2004092321.tif 000002
【特許請求の範囲】
【請求項１】
給水源から供給される洗浄水を人体に噴出する衛生洗浄装置であって、
洗浄水を人体に噴出する噴出手段と、
前記噴出手段から噴出される洗浄水の水勢を複数段階に設定するための水勢設定手段と、
前記噴出手段から噴出される洗浄水を直線流または複数段階の広がり角度を有する分散流に設定するための噴出形態設定手段と、
前記噴出手段から噴出される洗浄水の水勢を調整する水勢調整手段と、
前記噴出手段から噴出される洗浄水の噴出形態を調整する噴出形態調整手段と、
前記水勢設定手段により設定された各段階の水勢で前記噴出形態設定手段により設定された噴出形態の洗浄水が前記噴出手段から噴出されるように前記水勢調整手段および前記噴出形態調整手段を制御する制御手段とを備えたことを特徴とする衛生洗浄装置。
【請求項２】
前記制御手段は、前記噴出形態設定手段により設定された噴出形態で前記水勢設定手段により設定された各段階の水勢の洗浄水が前記噴出手段から噴出されるように前記水勢調整手段および前記噴出形態調整手段を制御することを特徴とする請求項１記載の衛生洗浄装置。
【請求項３】
前記噴出手段から噴出される洗浄水の水勢を繰り返し変化させつつ前記噴出手段から噴出される洗浄水の広がり角度を繰り返し変化させる動作を指示する洗浄水変動指示手段をさらに備え、
前記制御手段は、前記洗浄水変動指示手段の指示に応答して、前記噴出手段から噴出される洗浄水の水勢が繰り返し変化するように前記水勢調整手段を制御し、前記噴出手段から噴出される洗浄水の広がり角度が繰り返し変化するように前記噴出形態調整手段を制御することを特徴とする請求項１または２に記載の衛生洗浄装置。
【請求項４】
前記制御手段は、前記洗浄水変動指示手段からの指示に応答して、前記噴出手段から噴出される洗浄水の広がり角度が増加するとともに前記噴出手段から噴出される洗浄水の水勢が減少し、前記噴出手段から噴出される洗浄水の広がり角度が減少するとともに前記噴出手段から噴出される洗浄水の水勢が増加するように、前記水勢調整手段および前記噴出形態調整手段を制御することを特徴とする請求項３に記載の衛生洗浄装置。
【請求項５】
前記噴出形態設定手段により設定された洗浄水の広がり角度を表示する表示手段をさらに備えたことを特徴とする請求項１〜４のいずれかに記載の衛生洗浄装置。
【請求項６】
前記複数段階は２段階以上１０段階以下であることを特徴とする請求項１〜５のいずれかに記載の衛生洗浄装置。
【請求項７】
前記給水源からの洗浄水を第１の経路および第２の経路の一方または両方に選択的に供給する経路選択手段をさらに備え、
前記噴出手段は、前記第１の経路から洗浄水が供給される第１の流路および前記第２の経路から洗浄水が供給される第２の流路を有し、
前記噴出形態調整手段は、
前記第１の流路の洗浄水に回転力を作用させる回転力付与手段を含むことを特徴とする請求項１〜６のいずれかに記載の衛生洗浄装置。
【請求項８】
前記噴出形態調整手段は、
前記第１の流路および前記第２の流路に供給される洗浄水の流量比を制御する流量比制御手段をさらに含むことを特徴とする請求項７記載の衛生洗浄装置。
【請求項９】
前記経路選択手段は、前記流量比制御手段を含むことを特徴とする請求項８記載の衛生洗浄装置。
【請求項１０】
前記経路選択手段は、
前記第１の経路に連通する第１の洗浄水出口および前記第２の経路に連通する第２の洗浄水出口を有する第１の部材と、
前記第１の部材に相対的に回動可能に設けられ、洗浄水を受け入れる洗浄水入り口ならびに前記第１および第２の洗浄水出口のいずれかに対向可能な孔部を有する第２の部材とを含み、
前記第１の部材に対する前記第２の部材の回動量に応じて前記第１の流路および前記第２の流路に供給される洗浄水の流量比が変化することを特徴とする請求項９記載の衛生洗浄装置。
【請求項１１】
前記噴出手段は、前記第１の流路および前記第２の流路を有するノズル装置を含み、
前記ノズル装置は、前記第１の流路および前記第２の流路に連通する噴出孔を有することを特徴とする請求項７〜１０のいずれかに記載の衛生洗浄装置。
【請求項１２】
前記噴出手段は、
洗浄水を収容するシリンダ部と、
噴出孔を有しかつ前記シリンダ部内に移動可能に挿入されたピストン部とを含み、
供給される洗浄水の圧力により前記ピストン部が所定の洗浄位置まで前記シリンダ部から突出することを特徴とする請求項７〜１１のいずれかに記載の衛生洗浄装置。
【請求項１３】
前記ピストン部は、前記第１の流路および前記第２の流路を有し、
前記ピストン部が前記洗浄位置まで突出した状態で前記第１の流路に洗浄水が供給されることを特徴とする請求項１２記載の衛生洗浄装置。
【請求項１４】
前記シリンダ部の内周面と前記ピストン部の外周面との間に環状空間が形成され、前記ピストン部が突出した状態で前記シリンダ部内に収容部が形成されかつ前記環状空間が密閉状態となるとともに前記収容部から分離され、
前記シリンダ部は洗浄水を受け入れる第１および第２の給水口を有し、前記第１の流路および前記第１の給水口は前記収容部に連通し、前記第２の流路および前記第２の給水口は前記環状空間に連通することを特徴とする請求項１２または１３記載の衛生洗浄装置。
【請求項１５】
前記シリンダ部は、第１の内径を有する先端部と、前記第１の内径よりも大きな第２の内径を有する中間部と、前記第２の内径よりも大きな内径を有する後端部とを順に備え、前記先端部と前記中間部との境界に第１の環状内壁を有し、かつ前記中間部と前記後端部との境界に第２の環状内壁を有し、
前記ピストン部は、前記シリンダ部から突出した状態で前記第１および第２の環状内壁にそれぞれ水密に当接する第１および第２の環状当接部を有し、
前記シリンダ部の前記中間部の内周面と前記ピストン部の前記第１の環状当接部の外周面との間に第１の隙間が形成され、前記シリンダ部の前記後端部の内周面と前記ピストン部の前記第２の環状当接部の外周面との間に第２の隙間が形成され、
前記シリンダ部は洗浄水を受け入れる第１および第２の給水口を有し、
前記第１の経路からの洗浄水は、前記第１の給水口を通して前記後端部内に供給され、
前記第２の経路からの洗浄水は、前記第２の給水口を通して前記中間部内に供給され、
前記第１の流路は、前記シリンダ部の前記後端部内に連通するように設けられ、前記第２の流路は、前記シリンダ部の前記中間部内に連通するように設けられたことを特徴とする請求項１２または１３記載の衛生洗浄装置。
【請求項１６】
前記給水源からの洗浄水を加圧して前記噴出手段に供給する加圧手段をさらに備えたことを特徴とする請求項１〜１５のいずれかに記載の衛生洗浄装置。
【請求項１７】
前記加圧手段は、前記給水源から供給される洗浄水に周期的な圧力変動を与えつつ加圧して前記噴出手段から噴出させることを特徴とする請求項１６記載の衛生洗浄装置。
【請求項１８】
前記加圧手段は、
往復運動を行う加圧部材を有する往復動ポンプを含むことを特徴とする請求項１７記載の衛生洗浄装置。
【請求項１９】
前記往復動ポンプによる圧力変動の周波数は２０Ｈｚ以上６０Ｈｚ以下であることを特徴とする請求項１８記載の衛生洗浄装置。
【請求項２０】
前記給水源から供給される洗浄水を加熱する加熱手段をさらに備えたことを特徴とする請求項１〜１９のいずれかに記載の衛生洗浄装置。
【請求項２１】
前記加熱手段は、前記給水源から供給される洗浄水を流動させつつ加熱する瞬間式加熱装置であることを特徴とする請求項２０記載の衛生洗浄装置。
【発明の詳細な説明】
【０００１】
【発明の属する技術分野】
本発明は、人体の局部を洗浄する衛生洗浄装置に関する。
【０００２】
【従来の技術】
従来より、人体の局部を洗浄する衛生洗浄装置の分野においては、使用者の好みに応じた洗浄を実現すべく各種機能が案出されている。例えば、人体に不快感を与えないようにするため洗浄に用いる洗浄水を適切な温度に調整する機能、使用者の好みに応じた洗浄を実現するためにノズルから噴出される洗浄水の流量を調整する機能およびノズルから噴出される洗浄水の広がり角度を調整する機能等である（例えば、特許文献１、特許文献２、特許文献３参照）。
【０００３】
【特許文献１】
特開２００１−９０１５５号公報
【特許文献２】
特開昭５９−１０６６３７号公報
【特許文献３】
特開平７−２５９１６３号公報
【０００４】
【発明が解決しようとする課題】
このように、衛生洗浄装置の分野においては、使用者の好みに応じた洗浄を実現すべく各種機能が案出されているが、必ずしも個々の使用者は自己の嗜好または体調に合った最適な洗浄条件を設定することはできない。そこで、自己の嗜好または体調に応じて多種多様な洗浄条件の設定が求められている。
【０００５】
本発明の目的は、使用者の嗜好または体調に応じて種々の洗浄条件の設定が可能な衛生洗浄装置を提供することである。
【０００６】
【課題を解決するための手段】
本発明に係る衛生洗浄装置は、給水源から供給される洗浄水を人体に噴出する衛生洗浄装置であって、洗浄水を人体に噴出する噴出手段と、噴出手段から噴出される洗浄水の水勢を複数段階に設定するための水勢設定手段と、噴出手段から噴出される洗浄水を直線流または複数段階の広がり角度を有する分散流に設定するための噴出形態設定手段と、噴出手段から噴出される洗浄水の水勢を調整する水勢調整手段と、噴出手段から噴出される洗浄水の噴出形態を調整する噴出形態調整手段と、水勢設定手段により設定された各段階の水勢で噴出形態設定手段により設定された噴出形態の洗浄水が噴出手段から噴出されるように水勢調整手段および噴出形態調整手段を制御する制御手段とを備えたものである。
【０００７】
本発明に係る衛生洗浄装置においては、水勢設定手段を用いて噴出手段から噴出される洗浄水の水勢が複数段階に設定される。また、噴出形態設定手段を用いて噴出手段から噴出される洗浄水が直線流または複数段階の広がり角を有する分散流に設定される。設定された各段階の水勢で設定された噴出形態の洗浄水が噴出手段から噴出されるように水勢調整手段および噴出形態調整手段が制御手段により制御される。
【０００８】
それにより、各段階の水勢において洗浄水の広がり角度を任意に調整することができるので、選択可能な噴出形態が増加する。強い水勢で洗浄水の広がり角度を小さくすることにより、便意の促進を図ることができ、弱い水勢で洗浄水の広がり角度を大きくすることにより、痔疾患の者でも効果的に洗浄を行うことができる。したがって、使用者の嗜好または体調に応じて種々の洗浄条件の設定が可能となる。
【０００９】
制御手段は、噴出形態設定手段により設定された噴出形態で水勢設定手段により設定された各段階の水勢の洗浄水が噴出手段から噴出するように水勢調整手段および噴出形態調整手段を制御してもよい。
【００１０】
この場合、設定された噴出形態で設定された各段階の水勢の洗浄水が噴出手段から噴出されるように水勢調整手段および噴出形態調整手段が制御される。それにより、各広がり角度で水勢を任意に調整することができるので、選択可能な噴出形態が増加する。したがって、使用者の嗜好または体調に応じて種々の噴出形態の洗浄水で快適な洗浄が実現される。
【００１１】
噴出手段から噴出される洗浄水の水勢を繰り返し変化させつつ噴出手段から噴出される洗浄水の広がり角度を繰り返し変化させる動作を指示する洗浄水変動指示手段をさらに備え、制御手段は、洗浄水変動指示手段の指示に応答して、噴出手段から噴出される洗浄水の水勢が繰り返し変化するように水勢調整手段を制御し、噴出手段から噴出される洗浄水の広がり角度が繰り返し変化するように噴出形態調整手段を制御してもよい。
【００１２】
この場合、洗浄水の水勢が繰り返し変化するとともに洗浄水の広がり角度が繰り返し変化する。それにより、十分なマッサージ効果が得られる。
【００１３】
制御手段は、洗浄水変動指示手段からの指示に応答して、噴出手段より噴出する洗浄水の広がり角度が増加するとともに噴出手段より噴出する洗浄水の水勢が減少し、噴出手段より噴出する洗浄水の広がり角度が減少するとともに噴出手段より噴出する洗浄水の水勢が増加するように、水勢調整手段および噴出形態調整手段を制御してもよい。
【００１４】
この場合、洗浄水の広がり角度が増加するとともに洗浄水の水勢が減少し、洗浄水の広がり角度が減少するとともに洗浄水の水勢が増加する。それにより、洗浄体感の弛緩および緊張の度合いが明確となり、便意促進効果が得られる。
【００１５】
噴出形態設定手段により設定された洗浄水の広がり角度を表示する表示手段をさらに備えてもよい。
【００１６】
この場合、洗浄水の広がり角度が表示手段により表示されるので、使用者が洗浄水の広がり角度および洗浄面積の状態を視覚的に認識することができる。それにより、使用者が嗜好または体調に応じて洗浄水の広がり角度を感覚的に容易に設定することが可能となる。
【００１７】
複数段階は２段階以上１０段階以下であってもよい。洗浄水の広がり角度の段階が１０段階を越えると、洗浄水の広がり角度の変化を容易に認識することができない。そのため、噴出形態設定手段により洗浄水の広がり角度の段階を２段階以上１０段階以下に設定可能にすることにより、洗浄水の広がり角度の変化を容易に実感することができる。
【００１８】
給水源からの洗浄水を第１の経路および第２の経路の一方または両方に選択的に供給する経路選択手段をさらに備え、噴出手段は、第１の経路から洗浄水が供給される第１の流路および第２の経路から洗浄水が供給される第２の流路を有し、噴出形態調整手段は、第１の流路の洗浄水に回転力を作用させる回転力付与手段を含んでもよい。
【００１９】
この場合、給水源からの洗浄水が経路選択手段により第１の経路および第２の経路の一方または両方に選択的に供給される。第１の経路からの洗浄水は、噴出手段の第１の流路を通して噴出され、第２の経路からの洗浄水は、噴出手段の第２の流路を通して噴出される。
【００２０】
第１の流路の洗浄水に回転力が作用することにより第１の流路に供給された洗浄水が旋回流として噴出される。一方、第２の流路に供給された洗浄水は直線流として噴出される。第１の流路に流れる洗浄水の流量および第２の流路に流れる洗浄水の流量を制御することにより、噴出手段から噴出される洗浄水の広がり角度を変化させることができる。
【００２１】
噴出形態調整手段は、第１の流路および第２の流路に供給される洗浄水の流量比を制御する流量比制御手段をさらに含んでもよい。
【００２２】
この場合、流量比制御手段により第１の流路および第２の流路に供給される洗浄水の流量比を制御することができる。それにより、第１の流路を通して噴出孔から噴出される分散旋回流と第２の流路を通して噴出孔から噴出される直線流との混合割合を任意にかつ連続的に変化させることができ、噴出孔から噴出される洗浄水の広がり角度および洗浄面積を連続的に変化させることができる。また、使用者の嗜好または体調に応じて洗浄水の噴出形態および流量を任意に調整することが可能となる。
【００２３】
経路選択手段は、流量比制御手段を含んでもよい。この場合、流量比制御手段が経路選択手段に含まれるので、流量比制御手段を別途設ける必要がなく、衛生洗浄装置の小型化および簡素化が図られる。
【００２４】
経路選択手段は、第１の経路に連通する第１の洗浄水出口および第２の経路に連通する第２の洗浄水出口を有する第１の部材と、第１の部材に相対的に回動可能に設けられ、洗浄水を受け入れる洗浄水入り口ならびに第１および第２の洗浄水出口のいずれかに対向可能な孔部を有する第２の部材とを含み、第１の部材に対する第２の部材の回動量に応じて第１の流路および第２の流路に供給される洗浄水の流量比が変化してもよい。
【００２５】
この場合、第２の部材を第１の部材に相対的に回動させることにより、第２の部材の孔部が第１の部材の第１および第２の洗浄水出口のいずれかに対向する。第２の部材の孔部が第１の部材の第１の洗浄水入口に対向した場合には、第２の部材の洗浄水入口に供給された洗浄水が第２の部材の孔部を通って第１の部材の第１の洗浄水出口から第１の経路に供給される。また、第２の部材の孔部が第１の部材の第２の洗浄水入口に対向した場合には、第２の部材の洗浄水入口に供給された洗浄水が第２の部材の孔部を通って第１の部材の第２の洗浄水出口から第２の経路に供給される。
【００２６】
この場合、第１の部材に対する第２の部材の回動量を調整することにより、第１の経路および第２の経路に供給される洗浄水の流量比を変化させることができる。
【００２７】
噴出手段は、第１の流路および第２の流路を有するノズル装置を含み、ノズル装置は、第１の流路および第２の流路に連通する噴出孔を有してもよい。
【００２８】
この場合、第１の流路に供給された洗浄水と第２の流路に供給された洗浄水とが合流して噴出孔から噴出される。それにより、二次的に拡散した分散旋回流が噴出孔から噴出される。第１の流路に流れる洗浄水の流量および第２の流路に流れる洗浄水の流量を制御することにより、噴出孔から噴出される洗浄水の広がり角度を変化させることができ、洗浄面積および洗浄感を変化させることが可能となる。したがって、使用者の嗜好または体調に応じて種々の洗浄感および洗浄力を得ることが可能となる。
【００２９】
噴出手段は、洗浄水を収容するシリンダ部と、噴出孔を有しかつシリンダ部内に移動可能に挿入されたピストン部とを含み、供給される洗浄水の圧力によりピストン部が所定の洗浄位置までシリンダ部から突出してもよい。
【００３０】
この場合、噴出手段に供給される洗浄水がシリンダ部内に収容され、洗浄水の圧力によりピストン部が所定の洗浄位置までシリンダ部から突出する。それにより、衛生洗浄装置を大型化することなく非洗浄時に汚物が噴出手段に付着することが防止される。また、洗浄水の圧力によりシリンダ部内からピストン部が突出するため、モータ等の他の駆動装置を必要とせず、構造が簡素化する。したがって、衛生洗浄装置の小型化および低コスト化を実現することができる。
【００３１】
ピストン部は、第１の流路および第２の流路を有し、ピストン部が洗浄位置まで突出した状態で第１の流路に洗浄水が供給されてもよい。
【００３２】
この場合、ピストン部が洗浄位置まで突出した状態で、第１の流路に供給される洗浄水が噴出孔から分散旋回流として噴出される。それにより、洗浄開始時に人体に対して柔らかな洗浄が行われる。
【００３３】
シリンダ部の内周面とピストン部の外周面との間に環状空間が形成され、ピストン部が突出した状態でシリンダ部内に収容部が形成されかつ環状空間が密閉状態となるとともに収容部から分離され、シリンダ部は洗浄水を受け入れる第１および第２の給水口を有し、第１の流路および第１の給水口は収容部に連通し、第２の流路および第２の給水口は環状空間に連通してもよい。
【００３４】
この場合、ピストン部がシリンダ部から突出した状態で、環状空間が密閉状態となり、収容部より分離される。第２の給水口より供給される洗浄水は、密閉された環状空間を通して第２の流路に導かれる。このように、第１の流路と第２の流路とが互いに独立に形成されるため、第１の流路および第２の流路を流れる洗浄水の流量をそれぞれ独立に変化させることができる。その結果、第１の流路および第２の流路の流量比を容易にかつ任意に制御することができる。
【００３５】
シリンダ部は、第１の内径を有する先端部と、第１の内径よりも大きな第２の内径を有する中間部と、第２の内径よりも大きな内径を有する後端部とを順に備え、先端部と中間部との境界に第１の環状内壁を有し、かつ中間部と後端部との境界に第２の環状内壁を有し、ピストン部は、シリンダ部から突出した状態で第１および第２の環状内壁にそれぞれ水密に当接する第１および第２の環状当接部を有し、シリンダ部の中間部の内周面とピストン部の第１の環状当接部の外周面との間に第１の隙間が形成され、シリンダ部の後端部の内周面とピストン部の第２の環状当接部の外周面との間に第２の隙間が形成され、シリンダ部は洗浄水を受け入れる第１および第２の給水口を有し、第１の経路からの洗浄水は、第１の給水口を通して後端部内に供給され、第２の経路からの洗浄水は、第２の給水口を通して中間部内に供給され、第１の流路は、シリンダ部の後端部内に連通するように設けられ、第２の流路は、シリンダ部の中間部内に連通するように設けられてもよい。
【００３６】
この場合、ピストン部がシリンダ部から突出するまでは、第１の隙間および第２の隙間が形成されるため、噴出孔からの洗浄水の噴出前に、未使用時に滞留していた洗浄水を第１および第２の隙間を通して排出することができる。それにより、新鮮な洗浄水を用いて洗浄することができる。また、シリンダ部からピストン部が突出した状態で、第１および第２の環状内壁と第１および第２の環状当接部とがそれぞれ水密に当接することにより中間部内の環状空間が密閉状態になるとともに、後端部内の収容部から分離される。それにより、第２の経路からの洗浄水が中間部内の環状空間を通して第２の流路に流れ、第１の経路からの洗浄水が後端部内の収容部を通して第１の流路に流れる。このように、第１の流路と第２流路とが互いに独立に形成されるため、第１の流路および第２流路を流れる洗浄水の流量をそれぞれ独立に変化させることができる。その結果、第１の流路および第２流路の流量比を確実かつ任意に制御することができる。
【００３７】
給水源からの洗浄水を加圧して噴出手段に供給する加圧手段をさらに備えてもよい。
【００３８】
この場合、給水源からの洗浄水が加圧手段により加圧されて噴出手段に供給される。それにより、噴出手段から噴出される洗浄水の流量を増加させることが可能となる。その結果、洗浄感および洗浄力が向上する。
【００３９】
加圧手段は、給水源から供給される洗浄水に周期的な圧力変動を与えつつ加圧して噴出手段から噴出させてもよい。
【００４０】
この場合、加圧手段により洗浄水を周期的に変動する圧力で吐出させることができる。したがって、噴出手段から噴出される洗浄水の噴出速度が周期的に変動する。噴出手段から噴出された洗浄水は、空気抵抗により広がりを持った粒状に変化するので、少ない流量の洗浄水でも人体に高い洗浄感および洗浄力を与えることができる。また、洗浄水の圧力変動を制御することにより使用者の嗜好または体調に応じた洗浄が可能となる。
【００４１】
加圧手段は、往復運動を行う加圧部材を有する往復動ポンプを含んでもよい。この場合、往復動ポンプにより洗浄水を周期的に変動する圧力で噴出手段から噴出させることができる。
【００４２】
往復動ポンプによる圧力変動の周波数は２０Ｈｚ以上６０Ｈｚ以下であってもよい。
【００４３】
この場合、圧力変動の周波数を２０Ｈｚ以上６０Ｈｚ以下に制御することにより、圧力変動を体感することができ、洗浄感が向上する。
【００４４】
給水源から供給される洗浄水を加熱する加熱手段をさらに備えてもよい。この場合、給水源からの洗浄水が加熱手段により加熱されるので、噴出手段から適度に加熱された洗浄水を噴出することができる。これにより、使用者に不快感を感じさせることなく人体の局部を洗浄することが可能となる。
【００４５】
加熱手段は、給水源から供給される洗浄水を流動させつつ加熱する瞬間式加熱装置であってもよい。
【００４６】
この場合、瞬間式加熱手段により洗浄水が流動されつつ加熱される。それにより、衛生洗浄装置の使用時にのみ洗浄水の加熱が行われるので、消費電力を最小限に抑えることができる。また、洗浄水を貯える貯水タンク等が不要となるため、省スペース化が実現される。さらに、洗浄時間が長くなった場合でも、洗浄水の温度の低下が生じない。
【００４７】
【発明の実施の形態】
以下、本発明の実施の形態に係る衛生洗浄装置について説明する。なお、本実施の形態において「噴出形態」には、直線流および複数段階の広がり角度を有する分散旋回流が含まれる。
【００４８】
図１は本実施の形態に係る衛生洗浄装置を便器に装着した状態を示す斜視図である。
【００４９】
図１に示すように、便器６００上に衛生洗浄装置１００が装着される。タンク７００は、水道配管に接続されており、便器６００内に洗浄水を供給する。
【００５０】
衛生洗浄装置１００は、本体部２００、遠隔操作装置３００、便座部４００および蓋部５００により構成される。
【００５１】
本体部２００には、便座部４００および蓋部５００が開閉自在に取り付けられる。さらに、本体部２００には、ノズル部３０を含む洗浄水供給機構が設けられるとともに、制御部が内蔵されている。本体部２００の制御部は、後述するように遠隔操作装置３００により送信される信号に基いて、洗浄水供給機構を制御する。さらに、本体部２００の制御部は、便座部４００に内蔵されたヒータ、本体部２００に設けられた脱臭装置（図示せず）および温風供給装置（図示せず）等の制御も行う。
【００５２】
図２は図１の遠隔操作装置３００の一例を示す模式図である。
図２に示すように、遠隔操作装置３００は、複数のＬＥＤ（発光ダイオード）３０１ａ，３０１ｂ，３０１ｃ、広がり角度調整スイッチ３０３ａ，３０３ｂ、水勢調整スイッチ３０４ａ，３０４ｂ、おしりスイッチ３０５、パワー洗浄スイッチ３０６ｐ、マッサージ洗浄スイッチ３０６ｍ、停止スイッチ３０７、ビデスイッチ３０８、乾燥スイッチ３０９、乾燥温度調整スイッチ３５３ａ，３５３ｂ、脱臭スイッチ３５１および便座節電スイッチ３５２等を備える。
【００５３】
使用者により広がり角度調整スイッチ３０３ａ，３０３ｂ、水勢調整スイッチ３０４ａ，３０４ｂ、おしりスイッチ３０５、パワー洗浄スイッチ３０６ｐ、マッサージ洗浄スイッチ３０６ｍ、停止スイッチ３０７、ビデスイッチ３０８、乾燥スイッチ３０９、乾燥温度調整スイッチ３５３ａ，３５３ｂ、脱臭スイッチ３５１および便座節電スイッチ３５２が押下操作される。それにより、遠隔操作装置３００は、後述する衛生洗浄装置１００の本体部２００に設けられた制御部に所定の信号を無線送信する。本体部２００の制御部は、遠隔操作装置３００より無線送信される所定の信号を受信し、洗浄水供給機構等を制御する。
【００５４】
例えば、使用者が、おしりスイッチ３０５またはビデスイッチ３０８を押下操作することにより図１の本体部２００のノズル部３０が移動して洗浄水が噴出される。パワー洗浄スイッチ３０６ｐを押下操作することにより、図１の本体部２００のノズル部３０から人体の局部に通常の洗浄時より強い圧力で洗浄水が噴出される（パワー洗浄）。マッサージ洗浄スイッチ３０６ｍを押下操作することにより、図１の本体部２００のノズル部３０から人体の局部に広がり角度の異なる洗浄水が繰り返し噴出される（マッサージ洗浄）。マッサージ洗浄時においては、ノズル部３０より噴出される洗浄水の広がり角度が変化し、被洗浄面の洗浄面積が連続的に拡大および縮小を繰り返す。詳細は後述する。停止スイッチ３０７を押下操作することによりノズル部３０からの洗浄水の噴出が停止する。
【００５５】
また、乾燥スイッチ３０９を押下操作することにより人体の局部に対して衛生洗浄装置１００の温風供給装置（図示せず）から温風が噴出される。乾燥温度調整スイッチ３５３ａ，３５３ｂを押下操作することにより温風供給装置（図示せず）から人体の局部に噴出される温風の温度が調整される。なお、乾燥温度調整スイッチ３５３ａ，３５３ｂの押下操作に応じて複数のＬＥＤ（発光ダイオード）３０１ｃが点灯する。したがって、使用者は複数のＬＥＤ（発光ダイオード）３０１ｃにより、現在の自己に噴出されている温風の温度を容易に認識することができ、自己の嗜好または体調に応じて自己に噴出されている温風の温度を感覚的に容易に設定することが可能となる。
【００５６】
脱臭スイッチ３５１を押下操作することにより、衛生洗浄装置１００の脱臭装置（図示せず）により周辺の脱臭が行われる。便座節電スイッチ３５２を押下操作することにより便座部４００による暖房の節電が行われる。
【００５７】
使用者が、広がり角度調整スイッチ３０３ａ，３０３ｂを押下操作することにより段階的にノズル部３０より噴出される洗浄水の広がり角度が変化する。広がり角度調整スイッチ３０３ａ，３０３ｂの押下に伴い、洗浄水の広がり角度に応じて複数のＬＥＤ（発光ダイオード）３０１ｂが段階的に点灯する。したがって、使用者は複数のＬＥＤ（発光ダイオード）３０１ｂにより、現在の洗浄水の広がり角度を容易に認識することができ、自己の嗜好または体調に応じて洗浄水の広がり角度を感覚的に容易に設定することが可能となる。
【００５８】
さらに、水勢調整スイッチ３０４ａ，３０４ｂを押下操作することにより段階的にノズル部３０より噴出される洗浄水の水勢（圧力変動における中心圧力）が変化する。水勢調整スイッチ３０４ａ，３０４ｂの押下に伴い複数のＬＥＤ（発光ダイオード）３０１ａが点灯する。したがって、使用者は複数のＬＥＤ（発光ダイオード）３０１ａにより、現在の洗浄水の水勢を容易に認識することができ、自己の嗜好または体調に応じて洗浄水の水勢を感覚的に容易に設定することが可能となる。
【００５９】
以下、本実施の形態に係る衛生洗浄装置１００の本体部２００について説明を行う。図３は本実施の形態に係る衛生洗浄装置１００の本体部２００の構成を示す模式図である。
【００６０】
図３に示す本体部２００は、制御部４、分岐水栓５、ストレーナ６、逆止弁７、定流量弁８、止水電磁弁９、流量センサ１０、熱交換器１１、温度センサ１２ａ，１２ｂ、ポンプ１３、切替弁１４およびノズル部３０を含む。また、ノズル部３０は、おしりノズル１、ビデノズル２およびノズル洗浄用ノズル３を含む。
【００６１】
図３に示すように、水道配管２０１に分岐水栓５が介挿される。また、分岐水栓５と熱交換器１１との間に接続される配管２０２に、ストレーナ６、逆止弁７、定流量弁８、止水電磁弁９、流量センサ１０および温度センサ１２ａが順に介挿されている。さらに、熱交換器１１と切替弁１４との間に接続される配管２０３に、温度センサ１２ｂおよびポンプ１３が介挿されている。
【００６２】
まず、水道配管２０１を流れる浄水が、洗浄水として分岐水栓５によりストレーナ６に供給される。ストレーナ６により洗浄水に含まれるごみや不純物等が除去される。次に、逆止弁７により配管２０２内における洗浄水の逆流が防止される。そして、定流量弁８により配管２０２内を流れる洗浄水の流量が一定に維持される。
【００６３】
また、ポンプ１３と切替弁１４との間にはリリーフ配管２０４が接続され、止水電磁弁９と流量センサ１０との間には、逃がし水配管２０５が接続されている。リリーフ配管２０４には、リリーフ弁２０６が介挿されている。リリーフ弁２０６は、配管２０３の特にポンプ１３の下流側の圧力が所定値を超えると開成し、異常時の機器の破損、ホースの外れ等の不具合を防止する。一方、定流量弁８によって流量が調節され供給される洗浄水のうちポンプ１３で吸引されない洗浄水を逃がし水配管２０５から放出する。これにより、水道供給圧に左右されることなくポンプ１３には所定の背圧が作用することになる。
【００６４】
次いで、流量センサ１０は、配管２０２内を流れる洗浄水の流量を測定し、制御部４に測定流量値を与える。また、温度センサ１２ａは、配管２０２内を流れる洗浄水の温度を測定し、制御部４に温度測定値を与える。
【００６５】
続いて、熱交換器１１は、制御部４により与えられる制御信号に基いて、配管２０２を通して供給された洗浄水を所定の温度に加熱する。温度センサ１２ｂは、熱交換器１１により所定の温度に加熱された洗浄水の温度を測定し、制御部４に温度測定値を与える。
【００６６】
ポンプ１３は、熱交換器１１により加熱された洗浄水を制御部４により与えられる制御信号に基いて、切替弁１４に圧送する。切替弁１４は、制御部４により与えられる制御信号に基いて、ノズル部３０のおしりノズル１、ビデノズル２およびノズル洗浄用ノズル３のいずれか１つに洗浄水を供給する。それにより、おしりノズル１、ビデノズル２およびノズル洗浄用ノズル３のいずれか１つより洗浄水が噴出される。また、切替弁１４は、制御部４により与えられる制御信号に基いて、ノズル部３０より噴出される洗浄水の流量を調整する。それにより、ノズル部３０より噴出される洗浄水の流量が変化する。
【００６７】
制御部４は、図１の遠隔操作装置３００から無線送信される信号、流量センサ１０から与えられる測定流量値および温度センサ１２ａ，１２ｂから与えられる温度測定値に基き止水電磁弁９、熱交換器１１、ポンプ１３および切替弁１４に対して制御信号を与える。
【００６８】
図４は熱交換器１１の構造の一例を示す一部切り欠き断面図である。
図４に示すように、樹脂ケース５０４内に曲折された蛇行配管５１０が埋設されている。蛇行配管５１０に接触するように平板状のセラミックヒータ５０５が設けられている。矢印Ｙで示すように、洗浄水が、給水口５１１から蛇行配管５１０内に供給され、蛇行配管５１０中を流れる間に、セラミックヒータ５０５により効率よく加熱され、排出口５１２から排出される。
【００６９】
図３の制御部４は、温度センサ１２ｂより与えられる温度測定値に基いて、熱交換器１１のセラミックヒータ５０５の温度をフィードバック制御する。
【００７０】
本実施の形態においては、制御部４がフィードバック制御により熱交換器１１のセラミックヒータ５０５の温度を制御することとしたが、これに限定されず、フィードフォワード制御によりセラミックヒータ５０５の温度を制御してもよく、あるいは、温度上昇時には、フィードフォワード制御によりセラミックヒータ５０５を制御し、定常時には、フィードバック制御によりセラミックヒータ５０５を制御する複合的な制御を行ってもよい。
【００７１】
図５はポンプ１３の構造の一例を示す断面図である。図５のポンプは複動型レシプロポンプである。
【００７２】
図５において、本体部１３８内には、円柱状空間１３９が形成されている。円柱状空間１３９内には圧送ピストン１３６が設けられている。圧送ピストン１３６の外周部には、Ｘ字パッキン１３６ａが装着されている。圧送ピストン１３６により円柱状空間１３９がポンプ室１３９ａとポンプ室１３９ｂとに分割される。
【００７３】
本体部１３８の一側部には洗浄水入口ＰＩが設けられ、他側部には洗浄水出口ＰＯが設けられている。洗浄水入口ＰＩには図３の配管２０３を介して熱交換器１１が接続され、洗浄水出口ＰＯには配管２０３を介して切替弁１４が接続される。
【００７４】
洗浄水入口ＰＩは、内部流路Ｐ１、小室Ｓ１および小室Ｓ３を介してポンプ室１３９ａに連通するとともに、内部流路Ｐ２、小室Ｓ２および小室Ｓ４を介してポンプ室１３９ｂに連通している。
【００７５】
ポンプ室１３９ａは、小室Ｓ５、小室Ｓ７および内部流路Ｐ３を介して洗浄水出口ＰＯに連通している。円柱状空間１３９ｂは、小室Ｓ６、小室Ｓ８および内部流路Ｐ４を介して洗浄水出口ＰＯに連通している。
【００７６】
小室Ｓ３、小室Ｓ４、小室Ｓ７および小室Ｓ８には、それぞれアンブレラパッキン１３７が設けられている。
【００７７】
モータ１３０の回転軸にギア１３１が取り付けられ、ギア１３１にギア１３２が噛合っている。また、ギア１３２には、クランクシャフト１３３の一端が一点支持で回動可能に取り付けられ、クランクシャフト１３３の他端には、ピストン保持部１３４およびピストン保持棒１３５を介して圧送ピストン１３６が取り付けられている。
【００７８】
図３の制御部４により与えられる制御信号に基いて、モータ１３０の回転軸が回転すると、モータ１３０の回転軸に取り付けられたギア１３１が矢印Ｒ１の方向に回転し、ギア１３２が矢印Ｒ２の方向に回転する。これにより、圧送ピストン１３６が図中の矢印Ｚの方向に上下運動する。
【００７９】
図６はアンブレラパッキン１３７の動作を説明するための模式図である。例えば、図５の圧送ピストン１３６が、下方向に移動し、ポンプ室１３９ａの容積を増加させた場合、小室Ｓ１の圧力よりもポンプ室１３９ａ内の圧力が低くなるため、小室Ｓ３に設けられたアンブレラパッキン１３７は、図６（ｂ）に示すように変形する。その結果、洗浄水入口ＰＩから供給された洗浄水が、内部流路Ｐ１、小室Ｓ１および小室Ｓ３を介してポンプ室１３９ａに流入する。この場合、小室Ｓ７の圧力よりもポンプ室１３９ａ内の圧力が低くなるため、小室Ｓ７に設けられたアンブレラパッキン１３７は、図６（ａ）に示す状態のまま変形しない。そのため、洗浄水がポンプ室１３９ａ内へ流入したり、逆に洗浄水出口ＰＯより吐出されることもない。
【００８０】
一方、図５の圧送ピストン１３６が、上方向に移動し、ポンプ室１３９ａの容積を減少させた場合、小室Ｓ１の圧力よりもポンプ室１３９ａ内の圧力が高くなるため、小室Ｓ３に設けられたアンブレラパッキン１３７は、図６（ａ）に示す状態のまま変形しない。その結果、小室Ｓ１内の洗浄水が、ポンプ室１３９ａに流入しない。この場合、小室Ｓ７に設けられたアンブレラパッキン１３７は、図６（ｂ）に示すように変形する。そのため、ポンプ室１３９ａ内の洗浄水が、小室Ｓ５、小室Ｓ７および内部流路Ｐ３を介して洗浄水出口ＰＯから吐出される。
【００８１】
なお、小室Ｓ４内に設けられたアンブレラパッキン１３７は、圧送ピストン１３６が上方向に移動した場合に、図６（ｂ）に示すように変形し、圧送ピストン１３６が下方向に移動した場合に、図６（ａ）に示す状態のまま変形しない。一方、小室Ｓ８に設けられたアンブレラパッキン１３７は、圧送ピストン１３６が上方向に移動した場合に、図６（ａ）に示す状態のまま変形せず、圧送ピストン１３６が下方向に移動した場合に、図６（ｂ）に示すように変形する。それにより、ポンプ室１３９ａ内の洗浄水が洗浄水出口ＰＯから吐出されるときに、ポンプ室１３９ｂ内に洗浄水入口ＰＩからの洗浄水が流入し、ポンプ室１３９ａ内に洗浄水入口ＰＩからの洗浄水が流入するときに、ポンプ室１３９ｂ内の洗浄水が洗浄水出口ＰＯから吐出される。
【００８２】
図７は図５のポンプ１３の圧力変化を示す図である。図７の縦軸は圧力を示し、横軸は時間を示す。
【００８３】
図７に示すように、ポンプ１３の洗浄水入口ＰＩに圧力Ｐｉの洗浄水が供給される。この場合、図６の圧送ピストン１３６が上下方向に運動することにより、ポンプ室１３９ａ内の洗浄水の圧力Ｐａは、点線のように変化する。一方、ポンプ室１３９ｂ内の洗浄水の圧力Ｐｂは、破線のように変化する。ポンプ１３の洗浄水出口ＰＯより吐出される洗浄水の圧力Ｐｏｕｔは、太い実線で示すように、圧力Ｐｃを中心として上下に周期的に変化する。
【００８４】
このように、ポンプ１３においては、圧送ピストン１３６が上下運動を行うことにより、ポンプ室１３９ａまたはポンプ室１３９ｂ内の洗浄水に対して交互に圧力が加えられ、洗浄水入口ＰＩの洗浄水が昇圧されて洗浄水出口ＰＯから吐出される。
【００８５】
以下に、ポンプ１３の動作に基づく吐出圧力の変化について説明する。なお、本実施の形態に係る衛生洗浄装置１００においては、切替弁１４を通過する洗浄水の流量は一定とする。ただし、切替弁１４を切り替えることにより、以下に示す圧力変動をおしりノズル１またはビデノズル２より噴出する洗浄水に与えることができる。
【００８６】
図８（ａ）〜（ｃ）は、本実施の形態において設定された水勢の違いによるポンプ１３の圧力変化を示す図である。縦軸はポンプ１３の吐出圧力を示し、横軸は時間を示す。ここでは、説明を容易にするため、水勢を「強」、「中」、「弱」の３段階に設定するものとする。
【００８７】
図８（ａ）は、使用者が図２の水勢調整スイッチ３０４ａを押下し、水勢を「強」に設定した場合のポンプ１３の吐出圧力を示す図である。この場合、制御部４はポンプ１３のモータ１３０の回転数を大きくする。これにより、図５の圧送ピストン１３６の上下方向の運動周期が短くなる。その結果、ポンプ１３の吐出圧力の変動周波数が高くなり、吐出圧力の変動周期が小さくなる。また、吐出圧力の変動中心Ｐｏが高くなり、かつ、吐出圧力の変動幅が大きくなる。
【００８８】
また、図８（ｂ）は、使用者が図２の水勢調整スイッチ３０４ａ，３０４ｂを押下し、水勢を「中」に設定した場合のポンプ１３の吐出圧力を示す図である。この場合、制御部４はモータ１３０の回転数を中程度にする。これにより、図５の圧送ピストン１３６の上下方向の運動周期が中程度となる。その結果、ポンプ１３の吐出圧力の変動周波数が中程度となり、吐出圧力の変動周期が中程度となる。また、吐出圧力の変動中心Ｐｏが中程度となり、かつ、吐出圧力の変動幅が中程度となる。
【００８９】
さらに、図８（ｃ）は、使用者が図２の水勢調整スイッチ３０４ｂを押下し、水勢を「弱」に設定した場合のポンプ１３の吐出圧力を示す図である。この場合、制御部４はモータ１３０の回転数を小さくする。これにより、図５の圧送ピストン１３６の上下方向の運動周期が長くなる。その結果、ポンプ１３の吐出圧力の変動周波数が低くなり、吐出圧力の変動周期が大きくなる。また、ポンプ１３の吐出圧力の変動中心Ｐｏが低くなり、かつ、吐出圧力の変動幅が小さくなる。
【００９０】
使用者が図２のパワー洗浄スイッチ３０６ｐを押下すると、制御部４はモータ１３０の回転数を通常の洗浄時以上に増加させる。それにより、図５の圧送ピストン１３６の上下方向の運動周期が増加する。その結果、ポンプ１３の吐出圧力の変動周期、吐出圧力の変動中心Ｐｏおよび吐出圧力の変動幅が通常の洗浄時以上に増加する。
【００９１】
使用者が図２のマッサージ洗浄スイッチ３０６ｍを押下すると、制御部４はモータ１３０の回転数を周期的に増加および減少させることを繰り返す。それにより、図５の圧送ピストン１３６の上下方向の運動周期が周期的に増加および減少する。その結果、ポンプ１３の吐出圧力の変動周期、吐出圧力の変動中心Ｐｏおよび吐出圧力の変動幅が周期的に増加および減少することを繰り返す。すなわち、図８（ａ）〜（ｃ）で示すように圧力変動の態様の周期的な変化が繰り返される。
【００９２】
本実施の形態に係る衛生洗浄装置１００においては、水勢の調整がポンプ１３の回転数を変化させることにより行われる。これにより、使用者は、水勢調整スイッチ３０４ａ，３０４ｂにより、ノズル部３０より噴出される洗浄水の流量（平均圧力）、圧力変動幅および圧力変動周期を調整することができる。
【００９３】
このように、洗浄水の流量のみならず圧力変動幅および圧力変動周期を変化させることにより、流量のみの調整とは異なる洗浄感が得られる。したがって、使用者の嗜好に応じた種々の洗浄感を得ることが可能となる。
【００９４】
上記において、本実施の形態に係るポンプ１３は洗浄水に圧力変動を与えるが、ポンプ１３によりノズル部３０より噴出される洗浄水の噴出圧力の圧力変動周波数は、２０Ｈｚ以上６０Ｈｚ以下であることが望ましい。圧力変動周波数が２０Ｈｚ以上６０Ｈｚ以下である場合、使用者は圧力変動を体感することができ、洗浄感が向上する。
【００９５】
本実施の形態に係る衛生洗浄装置１００においては、おしりノズル１およびビデノズル２に応じてそれぞれ最適に圧力変動幅および圧力変動周期を制御することが好ましい。それにより、快適性および使い勝手が向上する。
【００９６】
図９（ａ）は切替弁１４の縦断面図であり、図９（ｂ）は図９（ａ）の切替弁１４のＡ−Ａ線断面図であり、図９（ｃ）は図９（ａ）の切替弁１４のＢ−Ｂ線断面図であり、図９（ｄ）は図９（ａ）の切替弁１４のＣ−Ｃ線断面図である。
【００９７】
図９に示す切替弁１４は、モータ１４１、内筒１４２および外筒１４３により構成される。
【００９８】
外筒１４３内に内筒１４２が挿入され、モータ１４１の回転軸が内筒１４２に取り付けられている。モータ１４１は、制御部４により与えられる制御信号に基いて回転動作を行う。モータ１４１が回転することにより内筒１４２が回転する。
【００９９】
図９（ａ），（ｂ），（ｃ），（ｄ）に示すように、外筒１４３の一端には、洗浄水入口１４３ａが設けられ、側部の対向する位置に洗浄水出口１４３ｂ，１４３ｃが設けられ、側部の洗浄水出口１４３ｂ，１４３ｃと異なる位置に洗浄水出口１４３ｄが設けられ、側部の洗浄水出口１４３ｂ，１４３ｃ，１４３ｄと異なる位置に洗浄水出口１４３ｅが設けられている。内筒１４２の互いに異なる位置に孔１４２ｅ，１４２ｆ，１４２ｇが設けられている。孔１４２ｅ，１４２ｆの周辺には、図９（ｂ），（ｃ）に示すように、曲線および直線で構成される面取り部（凹部）が形成され、孔１４２ｇの周辺には、図９（ｄ）に示すように、直線で構成される面取り部（凹部）が形成されている。
【０１００】
内筒１４２の回転により、孔１４２ｅが外筒１４３の洗浄水出口１４３ｂまたは１４３ｃと対向可能になっており、孔１４２ｆが外筒１４３の洗浄水出口１４３ｄと対向可能になっており、孔１４２ｇが外筒１４３の洗浄水出口１４３ｅと対向可能になっている。
【０１０１】
洗浄水入口１４３ａには、図３の配管２０３が接続され、洗浄水出口１４３ｂには、ビデノズル２が接続され、洗浄水出口１４３ｃには、おしりノズルの第２の流路が接続され、洗浄水出口１４３ｄには、おしりノズル１の第１の流路が接続され、洗浄水出口１４３ｅには、ノズル洗浄用ノズル３が接続されている。
【０１０２】
図１０は図９の切替弁１４の動作を示す断面図である。
図１０（ａ）〜（ｆ）は切替弁１４のモータ１４１がそれぞれ０度、９０度、１３５度、１８０度、２２５度および２７０度回転した状態を示す。
【０１０３】
まず、図１０（ａ）に示すように、モータ１４１を回転させない（０度）場合には、内筒１４２の孔１４２ｅの周囲の面取り部（凹部）が外筒１４３の洗浄水出口１４３ｂに対向する。したがって、洗浄水が洗浄水入口１４３ａより内筒１４２の内部を通過して、矢印Ｗ１で示すように洗浄水出口１４３ｂから流出する。
【０１０４】
次に、図１０（ｂ）に示すように、モータ１４１が内筒１４２を９０度回転させた場合には、内筒１４２の孔１４２ｇの周囲の面取り部（凹部）が外筒１４３の洗浄水出口１４３ｅに対向する。したがって、洗浄水が洗浄水入口１４３ａより内筒１４２の内部を通過して、矢印Ｗ２で示すように洗浄水出口１４３ｅから流出する。
【０１０５】
次いで、図１０（ｃ）に示すように、モータ１４１が内筒１４２を１３５度回転させた場合には、内筒１４２の孔１４２ｇの周囲の面取り部（凹部）の一部が外筒１４３の洗浄水出口１４３ｅに対向するとともに、内筒１４２の孔１４２ｅの周囲の面取り部（凹部）の一部が外筒１４３の洗浄水出口１４３ｃに対向する。したがって、少量の洗浄水が洗浄水入口１４３ａより内筒１４２の内部を通過して、矢印Ｗ２および矢印Ｗ３で示すように洗浄水出口１４３ｃ，１４３ｅから流出する。
【０１０６】
次に、図１０（ｄ）に示すように、モータ１４１が内筒１４２を１８０度回転させた場合には、内筒１４２の孔１４２ｅの周囲の面取り部（凹部）が外筒１４３の洗浄水出口１４３ｃに対向する。したがって、洗浄水が洗浄水入口１４３ａより内筒１４２の内部を通過して、矢印Ｗ３で示すように洗浄水出口１４３ｃから流出する。
【０１０７】
次に、図１０（ｅ）に示すように、モータ１４１が内筒１４２を２２５度回転させた場合には、内筒１４２の孔１４２ｅの周囲の面取り部（凹部）の一部が外筒１４３の洗浄水出口１４３ｃに対向するとともに、内筒１４２の孔１４２ｆの周囲の面取り部（凹部）の一部が外筒１４３の洗浄水出口１４３ｄに対向する。したがって、少量の洗浄水が洗浄水入口１４３ａより内筒１４２の内部を通過して、矢印Ｗ３および矢印Ｗ４で示すように洗浄水出口１４３ｃ，１４３ｄから流出する。
【０１０８】
また、図１０（ｆ）に示すように、モータ１４１が内筒１４２を２７０度回転させた場合には、内筒１４２の孔１４２ｆの周囲の面取り部（凹部）が外筒１４３の洗浄水出口１４３ｄに対向する。したがって、洗浄水が洗浄水入口１４３ａより内筒１４２の内部を通過して、矢印Ｗ４で示すように洗浄水出口１４３ｄから流出する。
【０１０９】
以上のように、制御部４からの制御信号に基いてモータ１４１が回転することにより内筒１４２の孔１４２ｅ，１４２ｆ，１４２ｇのいずれかが外筒１４３の洗浄水出口１４３ｂ〜１４３ｅに対向し、洗浄水入口１４３ａから流入した洗浄水が洗浄水出口１４３ｂ〜１４３ｅのいずれかから流出する。
【０１１０】
また、以上に示すように本実施の形態において、切替弁１４はモータ１４１を含む。これにより、洗浄水出口１４３ｂ〜１４３ｅのそれぞれに対する洗浄水の流量を調整する流量調整手段を別途設ける必要がないので、衛生洗浄装置の小型化および簡素化が図られている。
【０１１１】
図１１は図１０の切替弁１４の洗浄水出口１４３ｃ，１４３ｄからおしりノズル１に流出する洗浄水の流量、洗浄水出口１４３ｂからビデノズル２に流出する洗浄水の流量および洗浄水出口１４３ｅからノズル洗浄ノズル３に流出する洗浄水の流量を示す図である。図１１の横軸はモータ１４１の回転角度を示し、縦軸は洗浄水出口１４３ｂ〜１４３ｅから流出する洗浄水の流量を示す。また、実線Ｑ１が洗浄水出口１４３ｃからおしりノズル１に流出する洗浄水の流量の変化を示し、一点鎖線Ｑ２が洗浄水出口１４３ｄからおしりノズル１に流出する洗浄水の流量の変化を示し、二点鎖線Ｑ３が洗浄水出口１４３ｂからビデノズル２に流出する洗浄水の流量の変化を示し、破線Ｑ４が洗浄水出口１４３ｅからノズル洗浄ノズル３に流出する洗浄水の流量の変化を示す。
【０１１２】
例えば、図１１に示すように、モータ１４１が回転しない場合（０度）、洗浄水出口１４３ｂからビデノズル２に流出する洗浄水の流量Ｑ３は最大値を示す。そして、モータ１４１の回転角度が大きくなるとともに洗浄水出口１４３ｂからビデノズル２に流出する洗浄水の流量Ｑ３が減少し、洗浄水出口１４３ｅからノズル洗浄ノズル３に流出する洗浄水の流量Ｑ４が増加する。
【０１１３】
次いで、モータ１４１が９０度回転した場合、洗浄水出口１４３ｅからノズル洗浄ノズル３に流出する洗浄水の流量Ｑ４は最大値を示す。そして、モータ１４１の回転角度がさらに大きくなるとともに洗浄水出口１４３ｅからノズル洗浄ノズル３に流出する洗浄水の流量Ｑ４が減少し、洗浄水出口１４３ｃからおしりノズル１に流出する洗浄水の流量Ｑ１が増加する。
【０１１４】
続いて、モータ１４１が１８０度回転した場合、洗浄水出口１４３ｃからおしりノズル１に流出する洗浄水の流量Ｑ１は最大値を示す。そして、モータ１４１の回転角度がさらに大きくなるとともに洗浄水出口１４３ｃからおしりノズル１に流出する洗浄水の流量Ｑ１が減少し、洗浄水出口１４３ｄからおしりノズル１に流出する洗浄水の流量Ｑ２が増加する。
【０１１５】
続いて、モータ１４１が２７０度回転した場合、洗浄水出口１４３ｄからおしりノズル１に流出する洗浄水の流量Ｑ２は最大値を示す。そして、モータ１４１の回転角度がさらに大きくなるとともに洗浄水出口１４３ｄからおしりノズル１に流出する洗浄水の流量Ｑ２が減少し、洗浄水出口１４３ｂからビデノズル２に流出する洗浄水の流量Ｑ３が増加する。
【０１１６】
以上のように、制御部４が切替弁１４のモータ１４１の回転角度を制御することにより洗浄水出口１４３ｂ〜１４３ｅから流出する洗浄水の流量を制御することができる。さらに、切替弁１４のモータ１４１の回転角度がいかなる場合でも、洗浄水出口１４２ｅ，１４２ｆ，１４２ｇのいずれかまたはそれらの周囲の面取り部（凹部）が洗浄水出口１４３ｂ〜１４３ｅのいずれかに対向するので、洗浄水の流路が閉塞されず、洗浄水入口１４３ａから供給された洗浄水は、洗浄水出口１４３ｂ〜１４３ｅのいずれかから流出される。
【０１１７】
次に、図３のノズル部３０について説明する。図１２は図３のノズル部３０および切替弁１４の模式的断面図である。
【０１１８】
図１２に示すように、切替弁１４の洗浄水出口１４３ｃ，１４３ｄは、おしりノズル１に接続され、切替弁１４の洗浄水出口１４３ｂはビデノズル２に接続され、切替弁１４の洗浄水出口１４３ｅはノズル洗浄ノズル３に接続される。
【０１１９】
まず、おしりノズル１の構成について説明し、次いで、ビデノズル２の構成について説明し、最後にノズル洗浄ノズル３の構成について説明する。
【０１２０】
おしりノズル１は、円筒状のピストン部２０、円筒状のシリンダ部２１、シールパッキン２２ａ，２２ｂおよびスプリング２３により構成される。
【０１２１】
ピストン部２０の先端近傍には、洗浄水を噴出するための噴出孔２５が形成されている。ピストン部２０の後端には、フランジ形状のストッパ部２６ａ，２６ｂが設けられている。また、ストッパ部２６ａ，２６ｂには、それぞれシールパッキン２２ａ，２２ｂが装着されている。ピストン部２０の内部には、後端面から噴出孔２５に連通する第１の流路２７ａが形成され、ストッパ部２６ａとストッパ部２６ｂとの間におけるピストン部２０の周面から噴出孔２５に連通する第２の流路２７ｂが形成されている。また、噴出孔２５の周囲には、円筒状渦室２９が形成されており、第１の流路２７ａと円筒状渦室２９との間には、縮流部３１が介挿されている。
【０１２２】
一方、シリンダ部２１は、先端側の径小部分２１ｘと中間の径を有する中間部分２１ｙと後端側の径大部分２１ｚとからなる。それにより、径小部分２１ｘと中間部分２１ｙとの間に、ピストン部２０のストッパ部２６ａがシールパッキン２２ａを介して当接可能なストッパ面２１ｃが形成され、中間部分２１ｙと径大部分２１ｚとの間に、ピストン部２０のストッパ部２６ｂがシールパッキン２２ｂを介して当接可能なストッパ面２１ｂが形成されている。シリンダ部２１の後端面には、洗浄水入口２４ａが設けられ、シリンダ部２１の中間部分２１ｙの周面には、洗浄水入口２４ｂが設けられ、シリンダ部２１の先端面には、開口部２１ａが設けられている。シリンダ部２１の内部空間が温度変動緩衝部２８となる。洗浄水入口２４ａは、シリンダ部２１の中心軸とは異なる位置に偏心して設けられている。洗浄水入口２４ａは、切替弁１４の洗浄水出口１４３ｄに接続され、洗浄水入口２４ｂは、切替弁１４の洗浄水出口１４３ｃに接続されている。ピストン部２０がシリンダ部２１より最も突出した場合に、洗浄水入口２４ｂは、第２の流路２７ｂと連通する。この洗浄水入口２４ｂが第２の流路２７ｂと接続する詳細については後述する。
【０１２３】
ピストン部２０は、ストッパ部２６ｂが温度変動緩衝部２８内に位置し、先端部が開口部２１ａから突出するように、シリンダ部２１内に移動可能に挿入されている。
【０１２４】
さらに、スプリング２３は、ピストン部２０のストッパ部２６ａとシリンダ部２１の開口部２１ａの周縁との間に配設されており、ピストン部２０をシリンダ部２１の後端側に付勢する。
【０１２５】
ピストン部２０のストッパ部２６ａ，２６ｂの外周面とシリンダ部２１の内周面との間に微小隙間が形成され、ピストン部２０の外周面とシリンダ部２１の開口部２１ａの内周面との間に微小隙間が形成されている。
【０１２６】
次に、ビデノズル２は、円筒状のピストン部２０ｅ、円筒状のシリンダ部２１ｅ、シールパッキン２２ｅおよびスプリング２３ｅにより構成される。
【０１２７】
ピストン部２０ｅの先端近傍には、洗浄水を噴出するための噴出孔２５ｅが形成されている。ピストン部２０ｅの後端には、フランジ形状のストッパ部２６ｅが設けられている。また、ストッパ部２６ｅには、シールパッキン２２ｅが装着されている。ピストン部２０ｅの内部には、後端面から噴出孔２５に連通する流路２７ｅが形成されている。
【０１２８】
一方、シリンダ部２１ｅは、先端側の径小部分と後端側の径大部分とからなる。それにより、径小部分と径大部分との間に、ピストン部２０ｅのストッパ部２６ｅがシールパッキン２２ｅを介して当接可能なストッパ面２１ｆが形成されている。シリンダ部２１ｅの後端面には、洗浄水入口２４ｅが設けられ、シリンダ部２１ｅの先端面には、開口部２１ｇが設けられている。シリンダ部２１ｅの内部空間が温度変動緩衝部２８ｅとなる。洗浄水入口２４ｅは、シリンダ部２１ｅの中心軸とは異なる位置に偏心して設けられている。洗浄水入口２４ｅは、切替弁１４の洗浄水出口１４３ｂに接続されている。
【０１２９】
ピストン部２０ｅは、ストッパ部２６ｅが温度変動緩衝部２８ｅ内に位置し、先端部が開口部２１ｇから突出するように、シリンダ部２１ｅ内に移動可能に挿入されている。
【０１３０】
さらに、スプリング２３ｅは、ピストン部２０ｅのストッパ部２６ｅとシリンダ部２１ｅの開口部２１ｇの周縁との間に配設されており、ピストン部２０ｅをシリンダ部２１ｅの後端側に付勢する。
【０１３１】
ピストン部２０ｅのストッパ部２６ｅの外周面とシリンダ部２１ｅの内周面との間に微小隙間が形成され、ピストン部２０ｅの外周面とシリンダ部２１ｅの開口部２１ｇの内周面との間に微小隙間が形成されている。
【０１３２】
次に、ノズル洗浄ノズル３は、円筒状の噴出部２０ｋにより構成される。噴出部２０ｋの先端近傍には、おしりノズル１側に洗浄水を噴出するための噴出孔２５ｋとビデノズル２側に洗浄水を噴出するための噴出孔２５ｍとが形成される。噴出部２０ｋの後端には洗浄水入口２４ｋが設けられる。噴出部２０ｋの後端に設けられた洗浄水入口２４ｋから噴出孔２５ｋおよび噴出孔２５ｍに連通する流路２７ｋが形成される。洗浄水入口２４ｋは、切替弁１４の洗浄水出口１４３ｅに接続されている。
【０１３３】
それにより、切替弁１４の洗浄水出口１４３ｅより供給された洗浄水が、ノズル洗浄ノズル３の噴出部２０ｋの洗浄水入口２４ｋを介して流路２７ｋを通して、噴出孔２５ｋおよび噴出孔２５ｍより噴出される。噴出孔２５ｋおよび噴出孔２５ｍより噴出された洗浄水により、おしりノズル１およびビデノズル２の洗浄が行われる。
【０１３４】
次いで、図１２のおしりノズル１およびビデノズル２の動作について説明する。まず、おしりノズル１の動作について説明し、次に、ビデノズル２の動作について説明する。図１３は図１２のおしりノズル１の動作を説明するための断面図である。
【０１３５】
図１３（ａ）に示すように、シリンダ部２１の洗浄水入口２４ａ，２４ｂより洗浄水が供給されない場合、ピストン部２０が、スプリング２３の弾性力により矢印Ｘの方向と逆方向に後退し、シリンダ部２１内に収容されている。その結果、ピストン部２０は、シリンダ部２１の開口部２１ａより最も突出していない状態となる。このとき、シリンダ部２１内には、温度変動緩衝部２８が形成されない。
【０１３６】
次いで、図１３（ｂ）に示すように、シリンダ部２１の洗浄水入口２４ａより洗浄水の供給が開始された場合、洗浄水の圧力によりピストン部２０がスプリング２３の弾性力に抗して矢印Ｘの方向に徐々に前進する。それにより、シリンダ部２１内に温度変動緩衝部２８が形成されるとともに温度変動緩衝部２８に洗浄水が流入する。
【０１３７】
洗浄水入口２４ａがシリンダ部２１の中心軸に対して偏心した位置に設けられているので、温度変動緩衝部２８に流入した洗浄水は、矢印Ｖで示すように渦巻状に還流する。温度変動緩衝部２８の洗浄水の一部は、ピストン部２０のストッパ部２６ａ，２６ｂの外周面とシリンダ部２１の内周面との間の微小隙間を通して、ピストン部２０の外周面とシリンダ部２１の開口部２１ａの内周面との間の微小隙間から流れ出るとともに、ピストン部２０の第１の流路２７ａを通して円筒状渦室２９に供給され、噴出孔２５からわずかに噴出される。円筒状渦室２９の詳細については後述する。
【０１３８】
ピストン部２０がさらに前進すると、図１３（ｃ）に示すように、ストッパ部２６ａ，２６ｂがシールパッキン２２ａ，２２ｂを介してシリンダ部２１のストッパ面２１ｃ，２１ｂに水密に接触する。それにより、ピストン部２０のストッパ部２６ａ，２６ｂの外周面とシリンダ部２１の内周面との間の微小隙間からピストン部２０の外周面とシリンダ部２１の開口部２１ａの内周面との間の微小隙間に至る流路が遮断される。さらに、洗浄水入口２４ｂより供給された洗浄水が、ピストン部２０の第２の流路２７ｂを通して円筒状渦室２９に供給される。それにより、ピストン部２０の第２の流路２７ｂを通して円筒状渦室２９に供給された洗浄水は、ピストン部２０の第１の流路２７ａを通して供給された洗浄水と混合され、噴出孔２５から噴出される。
【０１３９】
上記において、ピストン部２０が洗浄位置まで突出した状態で、第１の流路２７ａを通して供給された洗浄水は噴出孔２５から分散旋回流として噴出されるので、使用者は洗浄開始時に柔らかな洗浄感を得ることができる。
【０１４０】
このように、切替弁１４の洗浄水出口１４３ｃ，１４３ｄより供給された洗浄水が、シリンダ部２１の洗浄水入口２４ａ，２４ｂを介してピストン部２０内の第１の流路２７ａおよび第２の流路２７ｂを通して円筒状渦室２９に導かれ、円筒状渦室２９を通して噴出孔２５から噴出される。
【０１４１】
次いで、図１２のビデノズル２の動作について説明する。図１４は図１２のビデノズル２の動作を説明するための断面図である。
【０１４２】
まず、図１４（ａ）に示すように、シリンダ部２１ｅの洗浄水入口２４ｅより洗浄水が供給されない場合、ピストン部２０ｅが、スプリング２３ｅの弾性力により矢印Ｘの方向と逆方向に後退し、シリンダ部２１ｅ内に収容されている。その結果、ピストン部２０ｅは、シリンダ部２１ｅの開口部２１ｇより最も突出していない状態となる。このとき、シリンダ部２１ｅ内には、温度変動緩衝部２８ｅが形成されない。
【０１４３】
次いで、図１４（ｂ）に示すように、シリンダ部２１ｅの洗浄水入口２４ｅより洗浄水の供給が開始された場合、洗浄水の圧力によりピストン部２０ｅがスプリング２３ｅの弾性力に抗して矢印Ｘの方向に徐々に前進する。それにより、シリンダ部２１ｅ内に温度変動緩衝部２８ｅが形成されるとともに温度変動緩衝部２８ｅに洗浄水が流入する。
【０１４４】
洗浄水入口２４ｅがシリンダ部２１ｅの中心軸に対して偏心した位置に設けられているので、温度変動緩衝部２８ｅに流入した洗浄水は、矢印Ｖで示すように渦巻状に還流する。温度変動緩衝部２８ｅの洗浄水の一部は、ピストン部２０ｅのストッパ部２６ｅの外周面とシリンダ部２１ｅの内周面との間の微小隙間を通して、ピストン部２０ｅの外周面とシリンダ部２１ｅの開口部２１ｇの内周面との間の微小隙間から流れ出るとともに、ピストン部２０ｅの流路２７ｅを通して、噴出孔２５ｅからわずかに噴出される。
【０１４５】
ピストン部２０ｅがさらに前進すると、図１４（ｃ）に示すように、ストッパ部２６ｅがシールパッキン２２ｅを介してシリンダ部２１ｅのストッパ面２１ｆに水密に接触する。それにより、ピストン部２０ｅのストッパ部２６ｅの外周面とシリンダ部２１ｅの内周面との間の微小隙間からピストン部２０ｅの外周面とシリンダ部２１ｅの開口部２１ｇの内周面との間の微小隙間に至る流路が遮断される。それにより、ピストン部２０ｅの流路２７ｅを通して噴出孔２５ｅから噴出される。
【０１４６】
このように、切替弁１４の洗浄水出口１４３ｂより供給された洗浄水が、シリンダ部２１ｅの洗浄水入口２４ｅを介してピストン部２０ｅ内の流路２７ｅを通して円噴出孔２５ｅから噴出される。
【０１４７】
以上に示す本実施の形態に係るノズル部３０の構造および動作によれば、衛生洗浄装置１００を大型化することなく非洗浄時に汚物がおしりノズル１およびビデノズル２に付着することが防止される。また、洗浄水の圧力によりシリンダ部２１，２１ｅ内からピストン部２０，２０ｅが突出するため、モータ等の他の駆動装置を必要とせず、構造が簡素化する。したがって、衛生洗浄装置１００の小型化および低コスト化を実現することができる。
【０１４８】
次いで、図１５は図１２のおしりノズル１のピストン部２０の先端部の模式図である。図１５（ａ）はピストン部２０の先端部を上面から見た場合を示し、図１５（ｂ）はピストン部２０の先端部を側面から見た場合を示す。
【０１４９】
まず、図１５（ｂ）に示すように、第１の流路２７ａは、円筒状の円筒状渦室２９の周面に接続され、第２の流路２７ｂは円筒状渦室２９の底面に接続されている。切替弁１４の洗浄水出口１４３ｃ，１４３ｄからの洗浄水が第１の流路２７ａおよび第２の流路２７ｂに供給される。
【０１５０】
図１５（ａ）に示すように、第１の流路２７ａより円筒状渦室２９に供給された洗浄水は、円筒状渦室２９の内周面の曲面形状により矢印Ｚに示す渦巻状態で流動する。一方、第２の流路２７ｂより円筒状渦室２９に供給された洗浄水は、垂直上方向に直線状態で流動する。
【０１５１】
このように、円筒状渦室２９において第１の流路２７ａの渦巻状態の洗浄水と第２の流路２７ｂの直線状の洗浄水とが混合され、噴出孔２５より洗浄水が噴出される。
【０１５２】
例えば、第１の流路２７ａより供給される洗浄水の流量が第２の流路２７ｂより供給される洗浄の流量よりも多い場合、円筒状渦室２９において混合される洗浄水は、円筒状の円筒状渦室２９の曲面形状による渦巻状態を強く維持するため、図１５（ｂ）に示す矢印Ｈの広い角度で分散旋回流として噴出される。一方、第２の流路２７ｂより供給される洗浄水の流量が第１の流路２７ａより供給される洗浄水の流量よりも多い場合、円筒状渦室２９において混合される洗浄水は、直線状態を強く維持するため、図１５（ｂ）に示す矢印Ｓの狭い角度で直線流として噴出される。
【０１５３】
したがって、制御部４が切替弁１４のモータ１４１を制御して洗浄水出口１４３ｃ，１４３ｄの流量比を変化させることにより、噴出孔２５より噴出される洗浄水の広がり角度が変化する。
【０１５４】
本実施の形態では、おしりスイッチ３０５の押下後、広がり角度調整スイッチ３０３ａを押下すると、洗浄水出口１４３ｃでの洗浄水の流量が洗浄水出口１４３ｄでの洗浄水の流量よりも大きくなり、洗浄水の噴出形態が直線流に近づく。それにより、洗浄水の広がり角度が小さくなる。おしりスイッチ３０５の押下後、広がり角度調整スイッチ３０３ｂを押下すると、洗浄水出口１４３ｄでの洗浄水の流量が洗浄水出口１４３ｃでの洗浄水の流量よりも大きくなり、洗浄水の噴出形態が分散旋回流に近づく。それにより、洗浄水の広がり角度が大きくなる。
【０１５５】
また、おしりスイッチ３０５の押下後、複数回広がり角度調整スイッチ３０３ａを押下すると、洗浄水出口１４３ｃでの洗浄水の流量が洗浄水出口１４３ｄでの洗浄水の流量よりも大きくなり、洗浄水の噴出形態が段階的に直線流に近づく。それにより、洗浄水の広がり角度が段階的に小さくなる。おしりスイッチ３０５の押下後、複数回広がり角度調整スイッチ３０３ｂを押下すると、洗浄水出口１４３ｄでの洗浄水の流量が洗浄水出口１４３ｃでの洗浄水の流量よりも大きくなり、洗浄水の噴出形態が段階的に分散旋回流に近づく。それにより、洗浄水の広がり角度が段階的に大きくなる。
【０１５６】
続いて、ポンプ１３の動作に基づいてノズル１より噴出される洗浄水の形状の変化について説明する。
【０１５７】
図１６は、本実施の形態におけるおしりノズル１の噴出孔２５より噴出される洗浄水の説明図である。
【０１５８】
図１６に示すように、おしりノズル１の噴出孔２５からは、表面張力により直径ｄｎの幅を有した丸い粒状の洗浄水が噴出される。また、直径ｄｎを有する洗浄水は、ポンプ１３の圧力により流速ｖで被洗浄面ＳＨに向けて噴出される。
【０１５９】
この場合、丸い粒状の洗浄水は、おしりノズル１の噴出孔２５より距離Ｌｗにある被洗浄面ＳＨに到達するまでに、空気抵抗の働きにより水平方向に広がる。それにより、直径ｄｎの幅を有した丸い粒状の洗浄水は、直径ｄｎよりも大きい直径ｄｗの幅を有した偏平な粒状の洗浄水に変化する。その結果、人体は、噴出孔２５において少量の洗浄水が噴出されているのにもかかわらず、被洗浄面ＳＨにおいて直径ｄｗの幅の洗浄水を受けるため、多量の洗浄水が噴出されているような洗浄感を得ることができる。
【０１６０】
また、ポンプ１３によれば、洗浄水を周期的に変動する圧力で吐出させることができる。したがって、おしりノズル１の噴出孔２５から噴出される洗浄水の噴出速度が周期的に変動する。おしりノズル１の噴出孔２５から噴出された洗浄水は、空気抵抗により広がりを持った粒状に変化するので、少ない流量の洗浄水でも人体に高い洗浄感および洗浄力を与えることができる。また、洗浄水の圧力変動を制御することにより使用者の嗜好または体調に応じた洗浄が可能となる。
【０１６１】
上記において、ポンプ１３の動作に基づく洗浄水の形状の変化は、ビデノズル２より噴出される洗浄水にも与えられる。
【０１６２】
図１７は、洗浄水の広がり角度および水勢の設定の例を示す概念図である。ここでは、縦軸が水勢調整スイッチ３０４ａ，３０４ｂにより設定される洗浄水の水勢を示し、横軸が角度調整スイッチ３０３ａ，３０３ｂにより設定される洗浄水の広がり角度を示している。
【０１６３】
以下の説明において、本実施の形態に係る衛生洗浄装置１００は、ノズル部３０より噴出される洗浄水の水勢を弱い方から順にＬ１、Ｌ２、Ｌ３、Ｌ４およびＬ５に設定できるものとし、ノズル部３０より噴出される洗浄水の広がり角度を小さいほうから順にＡ１、Ａ２、Ａ３およびＡ４に設定できるものとする。
【０１６４】
図１７に示すように、本実施の形態に係る衛生洗浄装置１００においては、例えば、洗浄水の水勢がＬ１に設定されている場合に、使用者は角度調整スイッチ３０３ａ，３０３ｂの押下操作により洗浄水の広がり角度をＡ１〜Ａ４のいずれかに設定できる。また、洗浄水の水勢がＬ２〜Ｌ５のいずれかに設定されている場合にも洗浄水の水勢がＬ１に設定されている場合と同様に、使用者は角度調整スイッチ３０３ａ，３０３ｂの押下操作により洗浄水の広がり角度をＡ１〜Ａ４のいずれかに設定できる。
【０１６５】
一方、図１７によれば、洗浄水の広がり角度がＡ１に設定されている場合に、使用者は水勢調整スイッチ３０４ａ，３０４ｂの押下操作により洗浄水の水勢をＬ１〜Ｌ５のいずれかに設定できる。また、洗浄水の広がり角度がＡ２〜Ａ４のいずれかに設定されている場合にも洗浄水の広がり角度がＡ１に設定されている場合と同様に、使用者は水勢調整スイッチ３０４ａ，３０４ｂの押下操作により洗浄水の水勢をＬ１〜Ｌ５のいずれかに設定できる。
【０１６６】
ここで、使用者による洗浄水の広がり角度および水勢の設定手順の一例について説明する。
【０１６７】
初期設定時において、ノズル部３０より噴出される洗浄水は、図１７の点ｉ１で示すように水勢がＬ３かつ広がり角度がＡ１に設定されている。
【０１６８】
使用者が図２の遠隔操作装置３００の水勢調整スイッチ３０４ａを押下操作すると、ノズル部３０より噴出される洗浄水の水勢がＬ４となる。これにより、ノズル部３０より噴出される洗浄水は、点ｉ２で示すように水勢がＬ４かつ広がり角度がＡ１に設定される。
【０１６９】
次に、使用者が遠隔操作装置３００の水勢調整スイッチ３０４ａを押下操作すると、ノズル部３０より噴出される洗浄水の水勢がＬ５となる。これにより、ノズル部３０より噴出される洗浄水は、点ｉ３で示すように水勢がＬ５かつ広がり角度がＡ１に設定される。
【０１７０】
続いて、使用者が遠隔操作装置３００の広がり角度調整スイッチ３０３ｂを押下操作すると、ノズル部３０より噴出される洗浄水の広がり角度がＡ２となる。これにより、ノズル部３０より噴出される洗浄水は、点ｉ４で示すように水勢がＬ５かつ広がり角度がＡ２に設定される。
【０１７１】
さらに、使用者が遠隔操作装置３００の広がり角度調整スイッチ３０３ｂを押下操作すると、ノズル部３０より噴出される洗浄水の広がり角度がＡ３となる。これにより、ノズル部３０より噴出される洗浄水は、点ｉ５で示すように水勢がＬ５かつ広がり角度がＡ３に設定される。
【０１７２】
以上に示すように、本実施の形態に係る衛生洗浄装置１００によれば、使用者は、洗浄水の各水勢において、広がり角度調整スイッチ３０３ａ，３０３ｂを押下操作することにより複数段階に洗浄水の広がり角度を設定することができる。また、使用者は、洗浄水の各広がり角度において、水勢調整スイッチ３０４ａ，３０４ｂを押下操作することにより複数段階に洗浄水の水勢を設定することができる。したがって、使用者は自己の好みや体調に応じて洗浄水の水勢および広がり角度を任意に設定することができる。
【０１７３】
上記において、ノズル部３０より噴出される洗浄水の広がり角度は、集中した噴出形態を含め４段階に調整可能であるとしているが、広がり角度の調節段階は３〜１０段階であることが望ましい。この場合、使用者は１段階毎に洗浄水の広がり角度の変化を容易に実感することができるので適確な洗浄水の広がり角度調整が可能となる。
【０１７４】
図１８は、おしりノズル１から噴出される洗浄水の噴出形態の変化を示した模式図である。
【０１７５】
図１８で示すように、洗浄水の広がり角度が縮小する場合の広がり角度の変化速度（以下、縮小速度と呼ぶ）をＶ１とし、洗浄水の広がり角度が拡大する場合の広がり角度の変化速度（以下、拡大速度と呼ぶ）をＶ２とする。図１８に示すように、拡大速度Ｖ２よりも縮小速度Ｖ１の方が小さくなるように、図９のモータ１４１の回転速度が制御される。
【０１７６】
また、使用者が遠隔操作装置３００のマッサージ洗浄スイッチ３０６ｍを押下操作すると、後述のように洗浄水の広がり角度の拡大と縮小が自動的に繰り返される。このとき、拡大速度よりも縮小速度の方が小さい。その結果、外側から内側中心に向かって汚れが落ちるので、外周への汚れの飛散が防止できる。
【０１７７】
図１９は、洗浄水の流量を一定とした場合における洗浄面積に対する洗浄体感強度のグラフである。縦軸は洗浄体感強度、横軸はおしりノズル１から噴出される洗浄水の洗浄面積である。図１９に示す曲線ＳＴのように、洗浄面積が大きくなると洗浄体感強度は小さくなり、洗浄面積が小さくなると洗浄体感強度は大きくなる。したがって、洗浄面積を変化させることにより洗浄体感強度を変化させることができる。
【０１７８】
図２０は、マッサージ洗浄時にノズル部３０より噴出される洗浄水の水勢および広がり角度の変化の一例を示す概念図である。ここでは、縦軸がノズル部３０より噴出される洗浄水の水勢を示し、横軸がノズル部３０より噴出される洗浄水の広がり角度を示している。
【０１７９】
マッサージ洗浄時において、ノズル部３０より噴出される洗浄水の水勢および広がり角度はともに連続的に変化する。図２０に示す直線ＭＳのように洗浄水の水勢が強くなるとともに洗浄水の広がり角度が小さくなり、洗浄水の水勢が弱くなるとともに洗浄水の広がり角度が大きくなる。そして、この洗浄水の水勢および広がり角の変化が矢印Ｗに示すように繰り返される。
【０１８０】
これにより、使用者はマッサージ洗浄時に、強い水勢かつ広がり角の小さい洗浄水により非常に強い洗浄感を得ることができ、弱い水勢かつ広がり角の大きい洗浄水により非常に弱い洗浄感を得ることができる。したがって、使用者はマッサージ洗浄時において非常に強い洗浄感と非常に弱い洗浄感とを連続的に体感することができるので、十分なマッサージ効果または便意促進効果等が得られる。
【０１８１】
なお、上記においては、マッサージ洗浄時の洗浄動作として、ノズル部３０より噴出される洗浄水の水勢および広がり角度をともに連続的に変化させているが、これに限らず水勢のみの変化動作または広がり角度のみの変化動作により、マッサージ洗浄を行なってもよい。
【０１８２】
以上に示す本実施の形態においては、供給源である水道配管２０１から供給される洗浄水を加熱する加熱装置として瞬間式の熱交換器１１が用いられている。この場合、衛生洗浄装置の使用時にのみ洗浄水の加熱が行われるので、消費電力を最小限に抑えることができる。また、洗浄水を貯える貯水タンク等が不要となるため、省スペース化が実現される。さらに、洗浄時間が長くなった場合でも、洗浄水の温度の低下が生じない。しかしながら、水道配管２０１から供給される洗浄水を加熱することができるものであれば、貯留容器およびヒータ等を備えた貯湯式の洗浄水加熱装置を用いてもよい。これにより、使用者は、不快感を感じることなく人体の局部を洗浄することができる。
【０１８３】
本実施の形態においては、各段階の水勢において洗浄水の広がり角度を任意に調整することができるので、選択可能な噴出形態が増加する。強い水勢で洗浄水の広がり角度を小さくすることにより、便意の促進を図ることができ、弱い水勢で洗浄水の広がり角度を大きくすることにより、痔疾患の者でも効果的に洗浄を行うことができる。したがって、使用者の嗜好または体調に応じて種々の洗浄条件の設定が可能となる。
【０１８４】
本実施の形態においては、供給源である水道配管２０１から供給される洗浄水をノズル部３０へ圧送する加圧装置としてピストンポンプであるポンプ１３が用いられているが、洗浄水をノズル部３０へ圧送することができるものであれば、上記のポンプ１３に代えて、ギアポンプ、ベーンポンプまたは電磁ポンプ等を用いてもよい。
【０１８５】
本実施の形態に係る衛生洗浄装置１００においては、水道配管２０１が給水源に相当し、ノズル部３０が噴出手段およびノズル装置に相当し、ポンプ１３が加圧手段および往復動ポンプに相当し、熱交換器１１が加熱手段および瞬間式加熱装置に相当し、ＬＥＤ（発光ダイオード）３０１ｂが表示手段に相当する。また、切替弁１４が経路選択手段に相当し、円筒状渦室２９が回転力付与手段に相当し、洗浄水出口１４３ｄが第１の経路に相当し、洗浄水出口１４３ｃが第２の経路に相当し、第１の流路２７ａが第１の流路に相当し、第２の流路２７ｂが第２の流路に相当し、モータ１４１が流量比制御手段に相当する。さらに、外筒１４３が第１の部材に相当し、内筒１４２が第２の部材に相当し、噴出孔２５が噴出孔に相当し、シリンダ部２１がシリンダ部に相当し、ピストン部２０がピストン部に相当する。さらに、水勢調整スイッチ３０４ａ，３０４ｂが水勢設定手段に相当し、広がり角度調整スイッチ３０３ａ，３０３ｂが噴出形態設定手段に相当し、マッサージ洗浄スイッチ３０６ｍが洗浄水変動指示手段に相当し、制御部４が制御手段に相当し、ポンプ１３が水勢調整手段に相当し、切替弁１４およびノズル部３０が噴出形態調整手段に相当する。そして、ストッパ部２６ａ，２６ｂがシールパッキン２２ａ，２２ｂを介してシリンダ部２１のストッパ面２１ｃ，２１ｂに水密に接触する空間が環状空間に相当し、ピストン部２０のストッパ部２６ａの外周面とシリンダ部２１の内周面との間の微小隙間が第１の隙間に相当し、ピストン部２０のストッパ部２６ｂの外周面とシリンダ部２１の内周面との間の微小隙間が第２の隙間に相当する。また、温度変動緩衝部２８が収容部に相当し、洗浄水入口２４ａが第１の給水口に相当し、洗浄水入口２４ｂが第２の給水口に相当し、径小部分２１ｘが先端部に相当し、中間部分２１ｙが中間部に相当し、径大部分２１ｚが後端部に相当し、ストッパ面２１ｃが第１の環状内壁に相当し、ストッパ面２１ｂが第２の環状内壁に相当し、シールパッキン２２ａが第１の環状当接部に相当し、シールパッキン２２ｂが第２の環状当接部に相当する。
【０１８６】
【発明の効果】
本発明に係る衛生洗浄装置においては、水勢設定手段を用いて噴出手段より噴出される洗浄水の水勢が複数段階に設定される。また、噴出形態設定手段を用いて噴出手段より噴出される洗浄水が直線流または複数段階の広がり角を有する分散流に設定される。設定された各段階の水勢で設定された噴出形態の洗浄水が噴出手段から噴出されるように水勢調整手段および噴出形態調整手段が制御手段により制御される。
【０１８７】
それにより、各段階の水勢において洗浄水の広がり角度を任意に調整することができるので、選択可能な噴出形態が増加する。強い水勢で洗浄水の広がり角度を小さくすることにより、便意の促進を図ることができ、弱い水勢で洗浄水の広がり角度を大きくすることにより、痔疾患の者でも効果的に洗浄を行うことができる。したがって、使用者の嗜好または体調に応じて種々の洗浄条件の設定が可能となる。
【図面の簡単な説明】
【図１】本実施の形態に係る衛生洗浄装置を便器に装着した状態を示す斜視図
【図２】図１の遠隔操作装置の一例を示す模式図
【図３】本実施の形態に係る衛生洗浄装置の本体部の構成を示す模式図
【図４】熱交換器の構造の一例を示す一部切り欠き断面図
【図５】本実施の形態に係るポンプの構成を示す模式的断面図
【図６】アンブレラパッキンの動作を説明するための模式図
【図７】図５のポンプの圧力変化を示す図
【図８】本実施の形態において設定された水勢の違いによるポンプの圧力変化を示す図
【図９】（ａ）は切替弁の縦断面図であり、（ｂ）は（ａ）の切替弁のＡ−Ａ線断面図であり、（ｃ）は（ａ）の切替弁のＢ−Ｂ線断面図であり、（ｄ）は（ａ）の切替弁のＣ−Ｃ線断面図
【図１０】図９の切替弁の動作を示す断面図
【図１１】図１０の切替弁の洗浄水出口からおしりノズルに流出する洗浄水の流量、洗浄水出口からビデノズルに流出する洗浄水の流量および洗浄水出口からノズル洗浄ノズルに流出する洗浄水の流量を示す図
【図１２】図３のノズル部および切替弁の模式的断面図
【図１３】図１２のおしりノズルの動作を説明するための断面図
【図１４】図１２のビデノズルの動作を説明するための断面図
【図１５】図１２のおしりノズルのピストン部の先端部の模式図
【図１６】本実施の形態におけるおしりノズルの噴出孔より噴出される洗浄水の説明図
【図１７】洗浄水の広がり角度および水勢の設定の例を示す概念図
【図１８】おしりノズルから噴出される洗浄水の噴出形態の変化を示した模式図
【図１９】洗浄水の流量を一定とした場合における洗浄面積に対する洗浄体感強度のグラフ
【図２０】マッサージ洗浄時にノズル部より噴出される洗浄水の水勢および広がり角度の変化の一例を示す概念図
【符号の説明】
１　おしりノズル
２　ビデノズル
４　制御部
１１　熱交換器
１３　ポンプ
１４　切替弁
２０　ピストン部
２１　シリンダ部
２１ｂ，２１ｃ　ストッパ面
２１ｘ　径小部分
２１ｙ　中間部分
２１ｚ　径大部分
２２ａ，２２ｂ　シールパッキン
２４ａ，２４ｂ　洗浄水入口
２５　噴出孔
２７ａ　第１の流路
２７ｂ　第２の流路
２８　温度変動緩衝部
２９　円筒状渦室
３０　ノズル部
１００　衛生洗浄装置
１３０，１４１　モータ
１４２　内筒
１４３　外筒
１４３ａ，１４３ｂ，１４３ｃ，１４３ｄ，１４３ｅ　洗浄水出口
２０１　水道配管
３００　遠隔操作装置
３０１ａ，３０１ｂ，３０１ｃ　ＬＥＤ
３０４ａ，３０４ｂ　水勢調整スイッチ
３０３ａ，３０３ｂ　広がり角度調整スイッチ
３０６ｍ　マッサージ洗浄スイッチ
【図１】
2004092321.tif 000003
【図２】
2004092321.tif 000004
【図３】
2004092321.tif 000005
【図４】
2004092321.tif 000006
【図５】
2004092321.tif 000007
【図６】
2004092321.tif 000008
【図７】
2004092321.tif 000009
【図８】
2004092321.tif 000010
【図９】
2004092321.tif 000011
【図１０】
2004092321.tif 000012
【図１１】
2004092321.tif 000013
【図１２】
2004092321.tif 000014
【図１３】
2004092321.tif 000015
【図１４】
2004092321.tif 000016
【図１５】
2004092321.tif 000017
【図１６】
2004092321.tif 000018
【図１７】
2004092321.tif 000019
【図１８】
2004092321.tif 000020
【図１９】
2004092321.tif 000021
【図２０】
2004092321.tif 000022